(57)【要約】【課題】カセットの装着時における媒体の有高を正しく確定できるようにする。【解決手段】現金自動預払機１の副制御部３２は、紙幣カセット１７Ａが装着されると収納量センサ２２の検出結果を基に収納状態を判定し、空状態であれば有高を０枚に確定する一方、低状態であれば収納されている全ての紙幣ＢＬを一時保留部１２へ順次搬送しながら鑑別部１１によりその枚数を計数することにより有高を確定することができる。一方副制御部３２は、収納状態がそれ以外であれば、その後の取引処理において取引枚数を記録しながら紙幣ＢＬの枚数が減少するのを待ち、当該紙幣カセット１７Ａが空状態又は低状態になった時点で取引後の枚数を計数し、紙幣カセット１７Ａの装着後における全取引枚数を集計して取引後の枚数と合算することにより、装着時の実際の有高を確定することができる。【選択図】図１０
2013045239.tif 000002
【特許請求の範囲】
【請求項１】
紙葉状の媒体を収納するカセットと、
上記カセットが所定の装着箇所に装着されたことを検出する装着検出部と、
上記媒体を一時的に保持する媒体保持部と、
少なくとも上記カセットと上記媒体保持部との間で上記媒体を１枚ずつ搬送する搬送部と、
上記搬送部により搬送された上記媒体の枚数を計数する計数部と、
上記装着検出部により上記カセットが上記装着箇所に装着されたことを検出し、且つ上記媒体の移転先を確保するための移転条件を満たす場合に、上記搬送部により上記カセットから上記媒体保持部へ上記媒体を搬送させる移転処理と、上記媒体保持部から上記カセットへ上記媒体を搬送させる復元処理と、当該移転処理又は当該復元処理における搬送中に上記計数部により計数された上記媒体の枚数を上記カセットの装着時における有高として確定する確定処理とを行う制御部と、
上記確定された有高を記憶する記憶部と
を具えることを特徴とする有高確定装置。
【請求項２】
上記計数部は、
上記カセットから上記媒体が排出される取引処理において、当該排出された媒体の枚数を取引枚数として計数し、
上記記憶部は、
上記取引処理ごとの上記取引枚数を記憶し、
上記制御部は、
上記装着検出部により上記カセットが上記装着箇所に装着されたことを検出し、且つ上記移転条件を満たさなかった場合であって、上記取引処理の後に上記移転条件を満たすことになった場合に、上記移転処理及び上記復元処理を行うと共に、上記確定処理に代えて、当該移転処理又は当該復元処理における搬送中に上記計数部により計数された上記媒体の枚数を取引後の有高に確定し、上記カセットの装着後に行われた全ての上記取引処理における上記取引枚数の集計値と上記取引後の有高とを基に、上記カセットの装着時における有高を確定する
ことを特徴とする請求項１に記載の有高確定装置。
【請求項３】
上記カセットに収納されている上記媒体のおおよその枚数を表す粗枚数を検出する粗枚数検出部と、
上記粗枚数が上記カセットの収納可能枚数よりも少ない所定のしきい値未満であるか否かを判定する判定部と
をさらに具え、
上記媒体保持部は、
上記しきい値が表す枚数の上記媒体を保持し、
上記制御部は、
上記判定部により上記粗枚数が上記しきい値未満であると判定されたことを、上記移転条件とする
ことを特徴とする請求項１に記載の有高確定装置。
【請求項４】
上記判定部は、
上記粗枚数が０枚、１枚以上上記しきい値未満、又は上記しきい値以上のいずれであるかを判定し、
上記制御部は、
上記判定部により上記粗枚数が１枚以上上記しきい値未満であると判定されたことを上記移転条件とし、上記判定部により上記粗枚数が０枚であると判定された場合には、上記カセットの装着時における有高を０枚に確定する
ことを特徴とする請求項３に記載の有高確定装置。
【請求項５】
上記カセットと同等の上限枚数まで上記媒体を積層して収納する第２カセットと、
上記第２カセットに上記媒体が収納されている状態で当該媒体のおおよその枚数である第２粗枚数を検出する第２粗枚数検出部と、
上記第２粗枚数が０枚であるか否かを判定する第２判定部と、
をさらに具え、
上記制御部は、
上記判定部により上記粗枚数が上記しきい値以上であると判定され且つ上記第２判定部により上記第２粗枚数が０枚であると判定されたことを第２の移転条件とし、上記装着検出部により上記カセットが上記装着箇所に装着されたことを検出し、且つ上記第２の移転条件が満たされる場合に、上記搬送部により上記カセットから上記第２カセットへ上記媒体を搬送させる第２移転処理と、上記媒第２カセットから上記カセットへ上記媒体を搬送させる第２復元処理と、当該第２移転処理又は当該第２復元処理における搬送中に上記計数部により計数された上記媒体の枚数を上記カセットの装着時における有高として確定する第２確定処理とを行う
ことを特徴とする請求項３に記載の有高確定装置。
【請求項６】
上記第２判定部は、
上記第２粗枚数が上記しきい値未満であるか否かを判定し、
上記制御部は、
上記判定部により上記粗枚数が上記しきい値未満であると判定されたこと、又は上記判定部により上記粗枚数が上記しきい値以上であると判定され且つ上記第２判定部により上記第２粗枚数が上記しきい値未満であると判定されたことを上記移転条件とし、上記装着検出部により上記カセットが上記装着箇所に装着されたことを検出し、上記判定部により上記粗枚数が上記しきい値以上であると判定され且つ上記第２判定部により上記第２粗枚数が上記しきい値未満であると判定された場合に、上記搬送部により上記第２カセットから上記媒体保持部へ上記媒体を搬送させる事前移転処理を行ってから、上記第２移転処理及び上記第２復元処理を行い、さらに上記搬送部により上記媒体保持部から上記第２カセットへ上記媒体を搬送させる事後復元処理を行ってから、上記第２確定処理を行う
ことを特徴とする請求項５に記載の有高確定装置。
【請求項７】
上記媒体保持部は、上記カセットと同等の上限枚数まで上記媒体を積層して収納する第２カセットであって、
上記第２カセットに上記媒体が収納されている状態で当該媒体のおおよその枚数である第２粗枚数を検出する第２粗枚数検出部と、
上記第２粗枚数が０枚であるか否かを判定する第２判定部と
をさらに具え、
上記制御部は、
上記第２判定部により上記第２粗枚数が０枚であると判定されたことを、上記移転条件とする
ことを特徴とする請求項１に記載の有高確定装置。
【請求項８】
上記しきい値が表す枚数の上記媒体を一時的に保持する第２媒体保持部
をさらに具え、
上記第２判定部は、
上記第２粗枚数が上記しきい値未満であるか否かを判定し、
上記制御部は、
上記判定部により上記第２粗枚数が上記しきい値未満であると判定されたことを上記移転条件とし、且つ上記搬送部により上記第２カセットから上記第２媒体保持部へ上記媒体を搬送させる事前移転処理を行ってから、上記移転処理及び上記復元処理を行い、さらに上記搬送部により上記第２媒体保持部から上記第２カセットへ上記媒体を搬送させる事後復元処理を行ってから、上記確定処理を行う
ことを特徴とする請求項７に記載の有高確定装置。
【請求項９】
情報処理装置に対し、
媒体を収納するカセットが所定の装着箇所に装着されたことを検出する装着検出ステップと、
上記媒体の移転先を確保できることを表す移転条件を満たすか否かを判定する判定ステップと、
上記カセットが装着され且つ上記移転条件が満たされた場合に、所定の搬送路を介して、上記カセットから所定の媒体保持部へ当該媒体を順次搬送させる退避ステップと、
上記搬送路を介して、上記媒体保持部から上記カセットへ上記媒体を順次搬送させる復元ステップと、
上記退避ステップ又は上記復元ステップにおいて搬送された上記媒体の枚数を、上記搬送路の途中に設けられた計数部により計数する計数ステップと、
上記計数部により計数された枚数を、上記カセットの上記装着時における有高として確定する有高確定ステップと、
上記確定された有高を所定の記憶部に記憶させる記憶ステップと
を実行させるための有高確定プログラム。
【発明の詳細な説明】
【技術分野】
【０００１】
本発明は有高確定装置及び有高確定プログラムに関し、例えば紙幣等の媒体を投入して所望の取引を行う現金自動預払機（ＡＴＭ）に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになされている。
【０００３】
現金自動預払機としては、例えば顧客との間で紙幣の授受を行う紙幣入出金部と、投入された紙幣の金種及び真偽を鑑別する鑑別部と、投入された紙幣を一時的に保留する一時保留部と、紙幣を搬送する搬送部と、金種ごとに紙幣を格納する紙幣カセットとを有するものがある。
【０００４】
例えば現金自動預払機は、金融機関の営業開始前などに、一時的に紙幣カセットが取り外され、当該紙幣カセットに紙幣が装填されて、再び当該紙幣カセットが装着される。
【０００５】
また現金自動預払機のなかには、金融機関の営業終了後などに、紙幣カセットに格納されている紙幣を他の紙幣カセットや一時保留部へ１枚ずつ搬送すると共にその枚数を計数することにより、当該紙幣カセットに格納されている紙幣の枚数を確定する（精査する）ようになされたものが提案されている（例えば、特許文献１参照）。
【先行技術文献】
【特許文献】
【０００６】
【特許文献１】特開２０１０−１０８１６０公報（段落［００２０］〜［００２４］等）
【発明の概要】
【発明が解決しようとする課題】
【０００７】
ところで現金自動預払機では、紙幣カセットに紙幣が収納されて装着される際、金融機関の職員等に所定の操作部等から紙幣の枚数を入力させることにより、当該紙幣カセットに収納されている紙幣の枚数（以下これを有高と呼ぶ）を認識することができる。
【０００８】
そして現金自動預払機は、取引処理による紙幣の入金及び出金に応じて紙幣カセットの有高を更新することにより、常に紙幣カセットの最新の有高を把握することができる。
【０００９】
しかしながら、紙幣カセットの装着時に入力された枚数が誤っていた場合、現金自動預払機は、誤った有高を更新し続けることになってしまい、誤った有高を認識し続けることになってしまう。
【００１０】
特に現金自動預払機では、把握している有高と実際の有高との間に差異が生じた場合、最初の有高を基に取引の記録等を辿ることにより差異が発生した時点やその原因についての調査が行われる。しかしながら紙幣カセットの有高が最初から誤っていた場合には、差異が発生した時点やその原因を正しく調査することが困難になるという問題があった。
【００１１】
本発明は以上の点を考慮してなされたもので、カセットの装着時における媒体の有高を正しく確定することができる有高確定装置及び有高確定プログラムを提案しようとするものである。
【課題を解決するための手段】
【００１２】
かかる課題を解決するため本発明の有高確定装置においては、紙葉状の媒体を積層して収納するカセットと、カセットが所定の装着箇所に装着されたことを検出する装着検出部と、媒体を一時的に保持する媒体保持部と、少なくともカセットと媒体保持部との間で媒体を１枚ずつ搬送する搬送部と、搬送部により搬送された媒体の枚数を計数する計数部と、装着検出部によりカセットが装着箇所に装着されたことを検出し、且つ媒体の移転先を確保できることを表す移転条件を満たす場合に、搬送部によりカセットから媒体保持部へ媒体を搬送させる移転処理と、媒体保持部からカセットへ媒体を搬送させる復元処理と、当該移転処理又は当該復元処理における搬送中に計数部により計数された媒体の枚数をカセットの装着時における有高として確定する確定処理とを行う制御部と、確定された有高を記憶する記憶部とを設けるようにした。
【００１３】
これにより本発明の有高確定装置は、カセットが装着されると、移転条件が満たされる場合、収納されている媒体を媒体保持部との間で搬送させ、その際に媒体の枚数を計数することにより、装着時における媒体の実際の有高を確定することができる。
【００１４】
また本発明の有高確定プログラムにおいては、媒体を収納するカセットが所定の装着箇所に装着されたことを検出する装着検出ステップと、媒体の移転先を確保できることを表す移転条件を満たすか否かを判定する判定ステップと、カセットが装着され且つ移転条件が満たされた場合に、所定の搬送路を介して、カセットから所定の媒体保持部へ当該媒体を順次搬送させる退避ステップと、搬送路を介して、媒体保持部からカセットへ媒体を順次搬送させる復元ステップと、退避ステップ又は復元ステップにおいて搬送された媒体の枚数を、搬送路の途中に設けられた計数部により計数する計数ステップと、計数部により計数された枚数を、カセットの装着時における有高として確定する有高確定ステップと、確定された有高を所定の記憶部に記憶させる記憶ステップとを設けるようにした。
【００１５】
これにより本発明の有高確定プログラムでは、カセットが装着されると、移転条件が満たされる場合、収納されている媒体を媒体保持部との間で搬送させ、その際に媒体の枚数を計数することにより、装着時における媒体の実際の有高を確定することができる。
【発明の効果】
【００１６】
本発明によれば、カセットが装着されると、移転条件が満たされる場合、収納されている媒体を媒体保持部との間で搬送させ、その際に媒体の枚数を計数することにより、装着時における媒体の実際の有高を確定することができる。かくして本発明は、カセットの装着時における媒体の有高を正しく確定することができる有高確定装置及び有高確定プログラムを実現できる。
【図面の簡単な説明】
【００１７】
【図１】現金自動預払機の外観構成を示す略線的斜視図である。
【図２】現金自動預払機の内部構成を示す略線図である。
【図３】紙幣カセットと各センサの位置との関係を示す略線図である。
【図４】現金自動預払機の回路構成を示す略線的ブロック図である。
【図５】紙幣枚数テーブル（１）を示す略線図である。
【図６】紙幣枚数テーブル（２）を示す略線図である。
【図７】紙幣枚数テーブル（３）を示す略線図である。
【図８】紙幣枚数テーブル（４）を示す略線図である。
【図９】紙幣枚数テーブル（５）を示す略線図である。
【図１０】第１の実施の形態による有高確定処理手順を示すフローチャートである。
【図１１】紙幣枚数テーブル（６）を示す略線図である。
【図１２】紙幣枚数テーブル（７）を示す略線図である。
【図１３】第２の実施の形態による有高確定処理手順（１）を示すフローチャートである。
【図１４】第２の実施の形態による有高確定処理手順（２）を示すフローチャートである。
【図１５】カセット間搬送処理手順を示すフローチャートである。
【図１６】第３の実施の形態による現金自動預払機の内部構成を示す略線図である。
【図１７】第３の実施の形態による有高確定処理手順を示すフローチャートである。
【発明を実施するための形態】
【００１８】
以下、発明を実施するための形態（以下実施の形態とする）について、図面を用いて説明する。
【００１９】
［１．第１の実施の形態］
［１−１．現金自動預払機の構成］
図１に外観を示すように、現金自動預払機１は、箱状の筐体２を中心に構成されており、顧客へ現金を出金する出金処理や顧客に現金を入金させる入金処理のように、顧客との間で現金に関する取引を行うようになされている。
【００２０】
筐体２は、その前面２Ａ側に顧客が対峙した状態で媒体としての紙幣の投入やタッチパネルによる操作等をしやすい箇所、すなわち前面２Ａの上部から上面に渡る箇所に、接客部３が設けられている。
【００２１】
接客部３は、顧客との間で現金や通帳等を直接やり取りすると共に、取引に関する情報の通知や操作指示の受付を行うようになされており、硬貨入出金部４、紙幣入出金部５、通帳取扱部６、カード・レシート取扱部７及び顧客操作部８が設けられている。
【００２２】
硬貨入出金部４及び紙幣入出金部５は、顧客が入金する硬貨及び紙幣がそれぞれ投入されると共に、顧客へ出金する硬貨及び紙幣がそれぞれ排出される部分である。また硬貨入出金部４及び紙幣入出金部５は、それぞれに設けられたシャッタを駆動することにより開放又は閉塞するようになされている。因みに紙幣入出金部５は、最大で約１５０枚の紙幣を内部に格納し得るようになされている。
【００２３】
通帳取扱部６は、取引で使用される通帳が挿入されると取引内容等を通帳に記録し、取引が終了すると通帳を排出するようになされている。
【００２４】
カード・レシート取扱部７は、キャッシュカード等の各種カードが挿入されると、各種カードに磁気記録された口座番号等を読み取り、取引が終了すると各種カードを排出すると共に、取引内容を印刷したレシートを排出するようになされている。
【００２５】
顧客操作部８は、取引に際して操作画面を表示するＬＣＤ（Liquid Crystal Display）と、取引の種類の選択、暗証番号や取引金額などを入力するタッチパネルとが一体化されている。
【００２６】
因みに筐体２は、前面２Ａ側やその反対側（すなわち背面側）等の一部の側面が開閉可能な扉により構成されている。すなわち筐体２は、顧客との間で現金に関する取引を行う取引動作時には、図１に示したように各扉を閉塞することにより、内部に収納している紙幣を保護する。一方筐体２は、保守作業が行われる場合等に各扉を開放することにより、内部へのアクセスや保守作業等を容易化するようになされている。
【００２７】
図２は、現金自動預払機１を矢印Ａ方向から見た側面図であり、当該現金自動預払機１の内部構成のうち主に紙幣ＢＬの処理に関する部分を模式的に表している。
【００２８】
同図に示したように、現金自動預払機１の内部には、上側に接客部３の紙幣入出金部５、紙幣の金種や真偽を判定する鑑別部１１、入金紙幣等を一時的に保留する一時保留部１２、及び顧客が紙幣入出金部５から取り忘れた紙幣を回収して格納する取忘れ回収庫１３等が設けられている。
【００２９】
搬送部１４は、図示しないローラやベルト等により、図中太線で示す搬送路に沿って紙幣ＢＬを短辺方向に搬送するようになされている。搬送部１４は、鑑別部１１を前後方向に挿通させるように紙幣ＢＬを搬送し、当該鑑別部１１の後側と一時保留部１２、取忘れ回収庫１３及び紙幣入出金部５とをそれぞれ接続している。また搬送部１４は、鑑別部１１１の前側と紙幣入出金部５及び後述する紙幣収納部１５とを接続している。
【００３０】
また現金自動預払機１の内部には、下側に金種別の紙幣カセット等を有する紙幣収納部１５と、鑑別部１１において破損した紙幣（いわゆる損券）と鑑別された紙幣ＢＬを格納する損券庫１８とが設けられている。
【００３１】
紙幣収納部１５は、筐体部２に固定されており、それぞれ紙幣を収納する４個の紙幣カセット１７Ａ、１７Ｂ、１７Ｃ及び１７Ｄをそれぞれ着脱し得るようになされている。
【００３２】
紙幣収納部１５は、図示しない収納排出機構により、搬送部１４から搬送されてきた紙幣ＢＬを取り込んで紙幣カセット１７Ａ、１７Ｂ、１７Ｃ及び１７Ｄ（以下まとめて紙幣カセット１７と呼ぶ）に収納させ、また紙幣カセット１７に収納されている紙幣ＢＬを排出して搬送部１４へ供給するようになされている。
【００３３】
図３に示すように、紙幣カセット１７は、全体として直方体状に構成されており、その内部に紙幣ＢＬを縦方向に集積して収納するようになされている。因みに紙幣カセット１７には、例えば約１０００枚の紙幣を収納し得るようになされている。
【００３４】
また紙幣収納部１５には、紙幣カセット１７Ａ〜１７Ｄそれぞれについて、紙幣カセット１７の装着又は離脱を検出する着脱センサ２１と、紙幣カセット１７内に収納されている紙幣の量を検出する収納量センサ２２Ａ、２２Ｂ、２２Ｃ及び２２Ｄとが設けられている。
【００３５】
紙幣カセット１７において、集積されている紙幣ＢＬの最下面から最上面までの高さは、集積された紙幣ＢＬの枚数におおむね比例することになる。そして収納量センサ２２Ａ、２２Ｂ、２２Ｃ及び２２Ｄ（以下まとめて収納量センサ２２と呼ぶ）は、カセット１７の底面からの高さ（距離）が紙幣ＢＬの枚数に換算して０枚、約１００枚、満杯まで残り約１００枚及び満杯となる箇所にそれぞれ設けられている。
【００３６】
これにより紙幣収納部１５は、紙幣カセット１７内に収納された紙幣ＢＬについて、それぞれ０枚であるか否か、約１００枚以上であるか否か、満杯まで残り１００枚以下であるか否か、及び満杯であるか否かを検出することができる。
【００３７】
この検出結果を基に、紙幣収納部１５は、紙幣カセット１７における紙幣ＢＬの収納状態として、内部に収納された紙幣ＢＬの枚数がそれぞれ０枚である空状態、約１００枚以下である低状態、満杯まで残り１００枚以下である高状態、又は満杯である満状態のいずれであるかを判定する。
【００３８】
これらの収納状態は、紙幣カセット１７内に収納された紙幣ＢＬについて、０枚、約１００枚以下、満杯まで約１００枚以下、又は満杯といったおおよその枚数（以下これを粗枚数と呼ぶ）を表すことになる。
【００３９】
このように紙幣収納部１５は、着脱センサ２１により各紙幣カセット１７の着脱を検出すると共に、収納量センサ２２により各紙幣カセット１７内に収納されている紙幣ＢＬの粗枚数、すなわち収納状態を検出できるようになされている。
【００４０】
［１−２．現金自動預払機の回路構成］
現金自動預払機１の内部には、図４に示すように、全体を統括制御する主制御部３１と、各部の動作をそれぞれ制御する副制御部３２を中心として各回路が設けられている。
【００４１】
主制御部３１は、図示しないＣＰＵ（Central Processing Unit）やワークエリアとして用いられるＲＡＭ（Random Access Memory）等を有しており、ハードディスクドライブやフラッシュメモリ等でなる記憶部３３から基本プログラムや各種アプリケーションプログラムを読み出して実行するようになされている。
【００４２】
主制御部３１は、顧客との間で行われる各種取引に関して統括的な制御を行うようになされており、顧客との取引内容に応じて、硬貨入出金部４、紙幣入出金部５、通帳取扱部６、カード・レシート取扱部７及び顧客操作部８をそれぞれ制御するようになされている。
【００４３】
係員操作部９は、例えば筐体２の背面（前面２Ａの反対面）に設けられると共に所定の操作キーを有しており、現金自動預払機１を管理する金融機関の職員等（以下これを係員と呼ぶ）による当該操作キーを介した操作を受け付け、その操作指示を主制御部３１へ供給する。
【００４４】
副制御部３２は、主制御部３１と同様、図示しないＣＰＵやＲＡＭ等を有しており、フラッシュメモリやＲＯＭ（Read Only Memory）等でなる記憶部３４から基本プログラムや各種アプリケーションプログラムを読み出して実行するようになされている。
【００４５】
また副制御部３２は、内部にクロック回路（図示せず）を有しており、このクロック回路により現在の日時を取得できるようになされている。
【００４６】
記憶部３４には、有高確定プログラム等の各種プログラムに加えて、紙幣カセット１７ごとに紙幣の枚数や取引処理における入出金の履歴が記録される紙幣枚数テーブルＴＢＬが記憶されている。
【００４７】
副制御部３２は、主制御部３１と連携しながら鑑別部１１、一時保留部１２及び搬送部１４等といった各部の動作を制御することにより、各部の間で紙幣ＢＬを搬送し、また各部に紙幣ＢＬを収納し、或いは各部から紙幣ＢＬを排出するようになされている。
【００４８】
例えば顧客が紙幣ＢＬを入金する入金取引を行う場合、主制御部３１は、顧客操作部８を介して所定の操作入力を受け付けた後、紙幣入出金部５のシャッタを開いて紙幣を投入させる。
【００４９】
続いて主制御部３１は、副制御部３２と連携し、投入された紙幣ＢＬを搬送部１４を介して鑑別部１１へ搬送して鑑別させ、正常紙幣と鑑別された紙幣ＢＬを一時保留部１２へ搬送して一時的に保留する一方、取引すべきでないと鑑別されたリジェクト紙幣を紙幣入出金部５へ搬送して顧客に返却する。
【００５０】
その後主制御部３１は、顧客操作部８を介して顧客に入金金額を確定させると共に、副制御部３２と連携して一時保留部１２に保留している紙幣を再び鑑別部１１へ搬送して金種を再鑑別させて、鑑別された金種に応じて紙幣収納部１５の各紙幣カセット１７へ搬送し収納させるようになされている。
【００５１】
このとき副制御部３２は、この入金取引において紙幣収納部１５の各紙幣カセット１７に収納した紙幣ＢＬの枚数を紙幣枚数テーブルＴＢＬに記録する。
【００５２】
また、例えば顧客へ紙幣ＢＬを出金する出金取引を行う場合、主制御部３１は、カード・レシート取扱部７を介して顧客にキャッシュカードを挿入させて口座番号等を読み取り、また顧客操作部８を介して出金すべき金額等を入力させる。
【００５３】
続いて主制御部３１は、副制御部３２と連携し、紙幣収納部１５の各紙幣カセット１７Ａ〜１７Ｄから出金すべき金額に応じた紙幣ＢＬを排出させ、搬送部１４により鑑別部１１へ順次搬送して鑑別させ、正常紙幣と鑑別された紙幣ＢＬを紙幣入出金部５へ搬送する一方、破損又は汚損していると鑑別された損券を損券庫１８へ搬送して収納させる。
【００５４】
その後主制御部３１は、紙幣入出金部５のシャッタを開いて顧客に紙幣を取り出させると共に、カード・レシート取扱部７を介して顧客にキャッシュカードを返却し、さらに取引内容を印刷したレシートを排出させるようになされている。
【００５５】
このとき副制御部３２は、入金取引の場合と同様、出金取引において紙幣収納部１５の各紙幣カセット１７から排出された紙幣ＢＬの枚数を紙幣枚数テーブルＴＢＬに記録する。
【００５６】
このように現金自動預払機１は、主制御部３１及び副制御部３２の制御に基づき、記憶部３４の紙幣枚数テーブルＴＢＬに取引の記録を残しながら、各種取引処理を実行するようになされている。
【００５７】
［１−３．紙幣カセットの有高の確定方針］
ところで副制御部３２は、紙幣カセット１７が装着されると、収納されている紙幣ＢＬの枚数（以下これを有高と呼ぶ）を計数することにより、当該紙幣カセット１７の装着時における正確な有高を確定し、その値を紙幣枚数テーブルＴＢＬに記憶させるようになされている。
【００５８】
以下、紙幣カセット１７Ａを例に、収納されている紙幣ＢＬの有高を確定する処理における基本的な方針について説明する。
【００５９】
紙幣収納部１５は、収納量センサ２２により紙幣カセット１７の収納状態として空状態、低状態、高状態、又は満状態のいずれであるかを検出することができる。しかしながらこの収納状態は、紙幣カセット１７に収納されている紙幣ＢＬのおおよその枚数（粗枚数）に過ぎず、正確な枚数（有高）を表すものではない。
【００６０】
このため副制御部３２は、搬送部１４により紙幣カセット１７Ａから紙幣ＢＬを１枚ずつ搬送して所定の移転先、具体的には一時保留部１２へ移転させた後、当該紙幣ＢＬを再び当該紙幣カセット１７へ搬送して元の状態に復元し、その搬送中に鑑別部１１により紙幣ＢＬの枚数を計数して有高を確定する。
【００６１】
ここで紙幣カセット１７Ａは、上述したように最大で約１０００枚という大量の紙幣ＢＬを収納できる。これに対し移転先としての一時保留部１２は、保持できる枚数が約１５０枚であり、紙幣カセット１７Ａに収納されている全ての紙幣ＢＬを保持できない場合も考えられる。
【００６２】
すなわち紙幣カセット１７Ａの収納状態が低状態であれば、その紙幣ＢＬを全て一時保留部１２へ移転させることができる。さらに、紙幣カセット１７Ａの収納状態が空状態であれば、紙幣ＢＬの搬送処理を一切行うことなく、有高が０枚であることを確定できる。
【００６３】
そこで副制御部３２は、紙幣カセット１７Ａの収納状態が空状態であれば、有高を０枚に確定し、図５に示すように、その値を紙幣枚数テーブルＴＢＬにおける装着時の有高を記憶する箇所（以下これを有高セルＣＭと呼ぶ）に記憶させる。因みに図５及び以降の図では、紙幣カセット１７Ａ〜１７Ｄをそれぞれ「紙幣カセットＡ」〜「紙幣カセットＤ」と表記している。
【００６４】
また副制御部３２は、紙幣カセット１７Ａの収納状態が低状態であれば、一時保留部１２へ紙幣ＢＬを搬送することにより当該紙幣ＢＬの枚数を計数し、図６に示すように、その値を紙幣枚数テーブルＴＢＬの有高セルＣＭに記憶させる。因みに図６では、一例として有高が８０枚であった場合を示している。
【００６５】
一方、副制御部３２は、紙幣カセット１７Ａの収納状態が空状態若しくは低状態以外であった場合、装着直後には紙幣ＢＬの枚数を計数せず、そのまま出金取引や入金取引等の取引処理を行う。このとき副制御部３２は、図７に示すように、有高セルＣＭを空欄としたまま、取引処理において排出され又は搬入された紙幣ＢＬの枚数（以下これを取引枚数と呼ぶ）を紙幣枚数テーブルＴＢＬの取引枚数を記憶する箇所（以下これを取引枚数セルＣＣと呼ぶ）にそれぞれ記憶させる。
【００６６】
そして副制御部３２は、取引処理が行われた後に紙幣カセット１７Ａが空状態又は低状態となった時点で、当該紙幣カセット１７Ａの装着時における有高を事後的に算出して確定する。
【００６７】
すなわち副制御部３２は、取引処理が行われた後に紙幣カセット１７Ａの収納状態が空状態であれば、この時点における有高を０枚に確定する。そして副制御部３２は、紙幣カセット１７の装着後に行われた全ての取引処理における取引枚数の集計値（以下これを全取引枚数と呼ぶ）を紙幣カセット１７Ａの装着時における有高として確定し、図７と対応する図８に示すように、その値（例えば１３３枚）を紙幣枚数テーブルＴＢＬの有高セルＣＭに記憶させる。
【００６８】
また副制御部３２は、取引処理が行われた後に紙幣カセット１７Ａの収納状態が低状態であれば、一時保留部１２へ紙幣ＢＬを搬送することにより当該紙幣ＢＬの枚数を計数し、この時点における有高（枚数）を確定する。そして副制御部３２は、この時点における枚数と、紙幣カセット１７の装着後に行われた全取引枚数とを合算することにより紙幣カセット１７Ａの装着時における有高を確定し、図９に示すように、その値を紙幣枚数テーブルＴＢＬの有高セルＣＭに記憶させる。因みに図９は、取引処理の終了時点における枚数が１０枚、全取引枚数が１３３枚であり、装着時における有高を１４３枚と算出した場合を表している。
【００６９】
このように副制御部３２は、紙幣カセット１７Ａが装着されると、その収納状態を基に、収納枚数が比較的少なく移転先を確保できる場合には直ちに計数して有高を確定し、収納枚数が多い場合には取引処理により減少するのを待ってから計数して、これを全取引枚数と合算することにより事後的に装着時の有高を確定するようになされている。
【００７０】
［１−４．有高確定処理手順］
次に、現金自動預払機１による有高確定処理の具体的な処理手順について、図１０のフローチャートを用いて詳細に説明する。
【００７１】
現金自動預払機１の副制御部３２は、電源が投入され基本プログラムが実行された後、記憶部３４から有高確定プログラムを読み出して実行することにより有高確定処理手順ＲＴ１を開始し、ステップＳＰ１へ移る。
【００７２】
ステップＳＰ１において副制御部３２は、紙幣収納部１５の着脱センサ２１により紙幣カセット１７Ａが装着されるのを待ち受け、装着されたことを検出すると次のステップＳＰ２へ移る。
【００７３】
ステップＳＰ２において副制御部３２は、紙幣カセット１７Ａが装着された日時を記憶部３４の紙幣枚数テーブルＴＢＬに記録し、次のステップＳＰ３へ移る。
【００７４】
ステップＳＰ３において副制御部３２は、紙幣収納部１５の収納量センサ２２による検出結果を基に、紙幣カセット１７Ａの収納状態を判定する。ここで収納状態が空状態と判定された場合、このことは紙幣ＢＬの計数処理を特に行うことなく有高を０枚に確定できることを表しており、副制御部３２は次のステップＳＰ４へ移る。
【００７５】
ステップＳＰ４において副制御部３２は、紙幣カセット１７Ａの有高を０枚に確定し、次のステップＳＰ１５へ移る。
【００７６】
また、ステップＳＰ３において収納状態が低状態と判定された場合、すなわち紙幣カセット１７Ａに収納されている紙幣ＢＬが約１００枚未満であると判定された場合、このことは一時保留部１２を移転先として用いることにより当該紙幣ＢＬの正確な枚数を計数できることを表しており、このとき副制御部３２は次のステップＳＰ５へ移る。
【００７７】
ステップＳＰ５において副制御部３２は、移転処理として、搬送部１４により紙幣収納部１５の紙幣カセット１７Ａから一時保留部１２へ紙幣ＢＬを順次搬送し、その途中において鑑別部１１により紙幣ＢＬの枚数を計数する。そして副制御部３２は、全ての紙幣ＢＬを紙幣カセット１７Ａから一時保留部１２へ移転させ終えると、次のステップＳＰ６へ移る。
【００７８】
ステップＳＰ６において副制御部３２は、復元処理として、搬送部１４により一時保留部１２から紙幣収納部１５の紙幣カセット１７Ａへ紙幣ＢＬを搬送し、全ての紙幣ＢＬを元の状態に復元し終えると次のステップＳＰ７へ移る。
【００７９】
ステップＳＰ７において副制御部３２は、確定処理として、鑑別部１１により計数された枚数を紙幣カセット１７Ａの有高に確定し、次のステップＳＰ１５へ移る。
【００８０】
一方、ステップＳＰ３において空状態若しくは低状態以外であった場合、このことは紙幣カセット１７Ａに収納されている紙幣ＢＬの枚数が一時保留部１２の保持可能な最大枚数を超えており、この段階では一時保留部１２を紙幣ＢＬの移転先として利用できず、紙幣ＢＬの正確な枚数を計数できないことを表している。このとき副制御部３２は、取引処理による紙幣ＢＬの減少を待つべく、次のステップＳＰ８へ移る。
【００８１】
ステップＳＰ８において副制御部３２は、１回の取引処理が終了するまで待機した後、次のステップＳＰ９へ移る。
【００８２】
ステップＳＰ９において副制御部３２は、取引処理が行われた日時及び取引枚数を記憶部３４の紙幣枚数テーブルＴＢＬに記憶させ、次のステップＳＰ１０へ移る。
【００８３】
ステップＳＰ１０において副制御部３２は、ステップＳＰ３と同様、紙幣収納部１５の収納量センサ２２による検出結果を基に、紙幣カセット１７Ａの収納状態を判定する。
【００８４】
ここで収納状態を高状態又は満状態と判定した場合、このことは未だ紙幣ＢＬが取引処理により十分に減少しておらず、この段階では一時保留部１２を紙幣ＢＬの移転先として利用できず、紙幣ＢＬの正確な枚数を計数できないことを表している。このため副制御部３２は、再度ステップＳＰ８へ戻って一連の処理を繰り返すことにより、次回以降の取引処理によって紙幣ＢＬが十分に減少するまで待機する。
【００８５】
一方、ステップＳＰ１０において収納状態が空状態と判定された場合、このことは紙幣ＢＬが取引処理により十分に減少し、且つ当初収納されていた紙幣ＢＬが取引処理により全て排出されたこと、すなわち紙幣カセット１７Ａ内の紙幣ＢＬを改めて計数する必要が無いことを表しており、このとき副制御部３２は次のステップＳＰ１１へ移る。
【００８６】
ステップＳＰ１１において副制御部３２は、記憶部３４の紙幣枚数テーブルＴＢＬを参照し、紙幣カセット１７Ａの装着後に行われた全ての取引処理における取引枚数（以下これを全取引枚数と呼ぶ）を集計し、この全取引枚数を紙幣カセット１７Ａの装着時における有高として確定して、次のステップＳＰ１５へ移る。
【００８７】
また、ステップＳＰ１０において収納状態が低状態と判定された場合、このことは紙幣ＢＬが取引処理により十分に減少しており、紙幣ＢＬの移転先として一時保留部１２を用いることにより、この時点で紙幣カセット１７Ａに収納されている紙幣ＢＬの正確な枚数を計数できることを表している。このとき副制御部３２は次のステップＳＰ１２へ移る。
【００８８】
ステップＳＰ１２及び１３において副制御部３２は、ステップＳＰ５及びＳＰ６と同様、搬送部１４により紙幣カセット１７Ａと一時保留部１２との間で全ての紙幣ＢＬを搬送しながら鑑別部１１により紙幣ＢＬの枚数を計数し、得られた枚数を取引後有高として、次のステップＳＰ１４へ移る。
【００８９】
ステップＳＰ１４において副制御部３２は、ステップＳＰ１１と同様に記憶部３４の紙幣枚数テーブルＴＢＬを参照して全取引枚数を集計し、これと鑑別部１１により計数された取引後有高とを合算することにより紙幣カセット１７Ａの装着時における有高を確定し、次のステップＳＰ１５へ移る。
【００９０】
ステップＳＰ１５において副制御部３２は、確定した有高を紙幣カセット１７Ａの装着時における有高として紙幣枚数テーブルＴＢＬに記憶させた後、ステップＳＰ１６へ移って有高検出処理手順ＲＴ１を終了する。
【００９１】
［１−５．動作及び効果］
以上の構成において、第１の実施の形態による現金自動預払機１の副制御部３２は、紙幣収納部１５に紙幣カセット１７Ａが装着されると、収納量センサ２２の検出結果を基に当該紙幣カセット１７Ａの収納状態を判定する。
【００９２】
ここで副制御部３２は、紙幣カセット１７Ａの収納状態が空状態であれば、当該紙幣カセット１７の有高を０枚に確定する。
【００９３】
また副制御部３２は、紙幣カセット１７Ａの収納状態が低状態であれば、収納されている全ての紙幣ＢＬを一時保留部１２へ順次搬送しながら鑑別部１１によりその枚数を計数し、その後全ての紙幣ＢＬを紙幣カセット１７Ａへ戻すと共に計数された枚数を有高に確定する。
【００９４】
これにより副制御部３２は、紙幣カセット１７Ａの装着時に収納されている紙幣ＢＬの枚数が比較的少ない場合に、当該紙幣ＢＬの枚数を精度良く計数することができ、紙幣カセット１７の正確な有高を直ちに確定することができる。
【００９５】
特に副制御部３２は、収納状態が空状態であった場合には、紙幣ＢＬの搬送処理や鑑別部１１による計数処理を行うことなく、収納量センサ２２の検出結果のみを基に、極めて短時間で紙幣カセット１７の有高を０枚に確定することができる。
【００９６】
一方副制御部３２は、紙幣カセット１７Ａの装着時における収納状態が空状態若しくは低状態以外であれば、その後の取引処理において取引枚数を記録しながら紙幣ＢＬの枚数が減少するのを待ち、当該紙幣カセット１７Ａが空状態又は低状態になった時点で装着時と同様の処理により取引後の枚数（すなわち取引後有高）を計数する。そして副制御部３２は、紙幣カセット１７の装着後における全取引枚数を集計して取引後有高と合算することにより装着時における有高を確定し、紙幣枚数テーブルＴＢＬに記憶させる。
【００９７】
これにより副制御部３２は、紙幣カセット１７Ａの装着時に収納されている紙幣ＢＬの枚数が比較的多く、全紙幣ＢＬを保持し得る適切な移転先が無いために計数できなかったとしても、取引処理による減少後に、残った紙幣ＢＬの枚数を精度良く計数して全取引枚数と合算することにより、事後的に装着時の正確な有高を確定することができる。
【００９８】
これを換言すれば、副制御部３２は、本来は取引処理の記録に過ぎない取引枚数を、紙幣カセット１７Ａに装着時に収納されていた紙幣ＢＬの部分的な計数結果として利用することができる。
【００９９】
このため副制御部３２は、この取引枚数を集計するだけで、装着後の全ての取引処理において紙幣カセット１７Ａから減少した紙幣ＢＬの正確な枚数である全取引枚数を得ることができ、これと取引後有高とを合算するだけで、装着時の有高を精度良く算出することができる。
【０１００】
因みに、一般の現金自動預払機においては、例えば主制御部３１が所定の運用プログラムを実行することにより、係員操作部９（図４）を介して、紙幣カセット１７Ａに収納した紙幣ＢＬの枚数を係員に入力させ、その枚数を基に紙幣カセット１７Ａの有高を管理する場合がある。
【０１０１】
しかしながらこの場合、例えば係員が「５００枚」と入力したものの実際には数え間違いにより紙幣ＢＬが４９９枚であった場合や、係員の勘違いにより紙幣ＢＬが６００枚収納されていた場合のように、入力された枚数と実際に収納されている枚数との間に誤差が生じ得る。
【０１０２】
これに対し副制御部３２は、実際に紙幣カセット１７Ａに収納されている紙幣ＢＬを鑑別部１１により１枚ずつ計数するため、誤差を排除した正確な有高を確定することができる。
【０１０３】
これにより現金自動預払機１では、仮に現金違算事故が発生したとしても、紙幣カセット１７Ａの装着時における正確な有高が確定しているため、紙幣ＢＬの動きを高精度に追跡調査することが可能となり、事故発生時期や事故発生原因の調査を容易化することができる。
【０１０４】
以上の構成によれば、現金自動預払機１の副制御部３２は、紙幣カセット１７Ａが装着されると収納量センサ２２の検出結果を基に収納状態を判定し、空状態であれば有高を０枚に確定する一方、低状態であれば収納されている全ての紙幣ＢＬを一時保留部１２へ順次搬送しながら鑑別部１１によりその枚数を計数することにより有高を確定することができる。一方副制御部３２は、収納状態がそれ以外であれば、その後の取引処理において取引枚数を記録しながら紙幣ＢＬの枚数が減少するのを待ち、当該紙幣カセット１７Ａが空状態又は低状態になった時点で取引後の枚数を計数する。そして副制御部３２は、紙幣カセット１７Ａの装着後における全取引枚数を集計して取引後の枚数と合算することにより、装着時の有高を事後的に確定することができる。
【０１０５】
［２．第２の実施の形態］
第２の実施の形態による現金自動預払機１０１は、第１の実施の形態による現金自動預払機１と比較して、副制御部３２及び記憶部３４に代わる副制御部１３２及び記憶部１３４を有している点が相違するものの、他の部分については同様に構成されている。
【０１０６】
副制御部１３２は、第１の実施の形態による副制御部３２と同様、図示しないＣＰＵやＲＡＭ等を有しており、記憶部３４と同様にフラッシュメモリやＲＯＭ等でなる記憶部１３４から基本プログラムや各種アプリケーションプログラムを読み出して実行するようになされている。また記憶部１３４には、紙幣枚数テーブルＴＢＬが記憶されている。
【０１０７】
［２−１．紙幣カセットの有高の確定方針］
ところで各紙幣カセット１７（１７Ａ〜１７Ｄ）は、上述したようにいずれも最大で約１０００枚という大量の紙幣ＢＬを収納できる。すなわち枚数の観点からすれば、ある紙幣カセット１７に収納されている紙幣ＢＬの全てを他の紙幣カセット１７に収納することは可能である。
【０１０８】
そこで第２の実施の形態では、副制御部１３２による紙幣カセット１７の有高の確定において、紙幣カセット１７に収納されている紙幣ＢＬの移転先として、一時保留部１２に加えて他の紙幣カセット１７も用いるようになされている。
【０１０９】
以下では、副制御部１３２により紙幣カセット１７Ａの有高を確定する際に、他の紙幣カセット１７として紙幣カセット１７Ｂを用いる場合を例に説明する。
【０１１０】
副制御部１３２は、紙幣カセット１７Ａの収納状態が空状態又は低状態であれば、第１の実施の形態と同様に有高を確定し、その値を紙幣枚数テーブルＴＢＬの有高セルＣＭに記憶させる（図５、図６）。
【０１１１】
これに加えて副制御部１３２は、紙幣カセット１７Ａの収納状態が空状態若しくは低状態以外であり、その全ての紙幣ＢＬを一時保留部１２に保持させることができない場合、紙幣ＢＬの移転先として紙幣カセット１７Ｂを用いるカセット間搬送処理（詳しくは後述する）により紙幣ＢＬの枚数を計数する。これにより枚数を計数できた場合、副制御部１３２は、その枚数を有高として確定し、図１１に示すように、その値（例えば３００枚）を紙幣枚数テーブルＴＢＬの有高セルＣＭに記憶させる。
【０１１２】
また副制御部１３２は、カセット間搬送処理において紙幣カセット１７Ａの枚数を計数できなかった場合、そのまま出金取引や入金取引等の取引処理を行う。このとき副制御部１３２は、第１の実施の形態と同様、有高セルＣＭを空欄としたまま、取引処理における取引枚数を紙幣枚数テーブルＴＢＬの取引枚数セルＣＣにそれぞれ記憶させる（図７）。
【０１１３】
そして副制御部１３２は、取引処理が行われ紙幣カセット１７Ａ又は１７Ｂの紙幣ＢＬが減少した時点で、当該紙幣カセット１７Ａの装着時における有高を事後的に求める。
【０１１４】
すなわち副制御部１３２は、取引処理が行われた後に紙幣カセット１７Ａの収納状態が空状態又は低状態であれば、それぞれ第１の実施の形態と同様に、全取引枚数と取引後有高とを合算することにより紙幣カセット１７Ａの装着時における有高を確定し、その値を紙幣枚数テーブルＴＢＬの有高セルＣＭに記憶させる（図８、図９）。
【０１１５】
これに加えて副制御部１３２は、取引処理が行われた後の紙幣カセット１７Ａの収納状態が空状態若しくは低状態以外であれば、紙幣カセット１７Ｂを用いたカセット間搬送処理（後述する）を行う。
【０１１６】
そして副制御部１３２は、取引処理後における紙幣カセット１７Ａの枚数を計数できた場合、第１の実施の形態と同様、紙幣カセット１７の装着後に行われた全取引枚数と合算することにより、紙幣カセット１７Ａの装着時における有高を事後的に確定し、図１２に示すように、その値（例えば４３３枚）を紙幣枚数テーブルＴＢＬの有高セルＣＭに記憶させる。
【０１１７】
このように第２の実施の形態においては、紙幣カセット１７Ａの収納状態が空状態若しくは低状態以外であった場合、さらにカセット間搬送処理を行うことにより、装着時に又事後的に紙幣カセット１７Ａの有高を確定するようになされている。
【０１１８】
［２−２．カセット間搬送処理の方針］
カセット間搬送処理では、上述したように、紙幣カセット１７Ａの紙幣ＢＬを計数する際に紙幣カセット１７Ｂを移転先として利用するが、このとき当該紙幣カセット１７Ｂが空状態となっている必要がある。
【０１１９】
そこで副制御部１３２は、まず収納量センサ２２により紙幣カセット１７Ｂの収納状態を判定し、空状態であれば、紙幣カセット１７Ａの全ての紙幣ＢＬを紙幣カセット１７Ｂへ搬送することにより当該紙幣ＢＬの枚数を直ちに計数する。
【０１２０】
ここで現金自動預払機１は、構造上の制約により、各紙幣カセット１７間で紙幣ＢＬを直接搬送することができず、ある紙幣カセット１７から紙幣ＢＬを一時保留部１２へ一度搬送した後、当該一時保留部１２から紙幣ＢＬを他の紙幣カセット１７へ搬送する必要がある。また一時保留部１２における紙幣ＢＬの保持可能枚数は、約１５０枚であり、紙幣カセット１７における紙幣ＢＬの保持可能枚数である約１０００枚よりも格段に少ない。
【０１２１】
このため副制御部１３２は、紙幣カセット１７Ａに収納されている紙幣ＢＬを約１００枚ずつに分け、一時保留部１２を経由して紙幣カセット１７Ｂへ順次搬送することにより、全ての当該紙幣ＢＬを移転させる。
【０１２２】
また紙幣カセット１７Ｂは、空状態ではなく低状態であっても、収納されている紙幣ＢＬを他の箇所、例えば一時保留部１２や紙幣入出金部５等へ一時的に退避させることにより、空状態にすることができる。
【０１２３】
そこで副制御部１３２は、紙幣カセット１７Ｂの収納状態が低状態であれば、紙幣入出金部５を退避先とし、紙幣カセット１７Ｂの全ての紙幣ＢＬを一時保留部１２経由で当該紙幣入出金部５へ搬送して保持させ、当該紙幣カセット１７Ｂを空状態にする。この場合、上述したように紙幣カセット１７間で紙幣ＢＬを搬送する際に一時保留部１２を使用する必要があるため、紙幣入出金部５を退避先とする。
【０１２４】
次に副制御部１３２は、紙幣カセット１７Ｂが空状態であった場合と同様、紙幣カセット１７Ａの紙幣ＢＬを約１００枚ずつに分けて一時保留部１２を経由しながら紙幣カセット１７Ｂへ搬送することにより、全ての当該紙幣ＢＬを移転させる。このとき副制御部１３２は、搬送中の紙幣ＢＬの枚数を鑑別部１１により計数させる。
【０１２５】
一方、副制御部１３２は、紙幣カセット１７Ｂの収納状態が空状態若しくは低状態以外であった場合、当該紙幣カセット１７Ｂの紙幣ＢＬを一時的に退避できる箇所が無く空状態にすることができないため、紙幣カセット１７Ａの紙幣ＢＬを計数せずにカセット間搬送処理を終了する。
【０１２６】
このように副制御部１３２は、カセット間搬送処理において、紙幣ＢＬを紙幣入出金部５に退避させる等して紙幣カセット１７Ｂを空状態にすることができる場合に、紙幣カセット１７Ａに収納されている紙幣ＢＬを紙幣カセット１７Ｂに搬送させてその枚数を計数するようになされている。
【０１２７】
［２−３．有高確定処理手順］
次に、第２の実施の形態における有高確定処理の具体的な処理手順について、図１０と対応する図１３及び図１４のフローチャート並びにカセット間搬送処理を表す図１５のフローチャートを用いて詳細に説明する。
【０１２８】
現金自動預払機１０１の副制御部１３２は、電源が投入され基本プログラムが実行された後、記憶部１３４から有高確定プログラムを読み出して実行することにより有高確定処理手順ＲＴ２を開始し、ステップＳＰ２１へ移る。
【０１２９】
副制御部１３２は、ステップＳＰ２１〜ＳＰ２７において、それぞれステップＳＰ１〜ＳＰ７（図１０）と同様の処理を行うことにより、空状態又は低状態と判定された場合に有高をそれぞれ確定し、ステップＳＰ１５へ移る。
【０１３０】
一方、ステップＳＰ２３において空状態若しくは低状態以外であった場合、このことは紙幣カセット１７Ａに収納されている紙幣ＢＬの枚数が多く、一時保留部１２を紙幣ＢＬの移転先としては利用できないものの、紙幣カセット１７Ｂを用いれば計数できる可能性があることを表している。このとき副制御部１３２は、次のカセット間搬送処理ＳＲＴ１へ移ることにより、図１５に示すサブルーチンを開始してステップＳＰ４１へ移る。
【０１３１】
ステップＳＰ４１において副制御部１３２は、紙幣収納部１５の収納量センサ２２による検出結果を基に、紙幣カセット１７Ｂの収納状態を判定する。ここで収納状態を空状態と判定した場合、このことは紙幣カセット１７Ｂが既に紙幣カセットＢＬの移転先として利用できる状態であることを表しており、このとき副制御部１３２は次のステップＳＰ４２へ移る。
【０１３２】
ステップＳＰ４２において副制御部１３２は、第２移転処理として、紙幣カセット１７Ａから約１００枚の紙幣ＢＬを一時保留部１２へ搬送し、当該一時保留部１２から紙幣ＢＬを紙幣カセット１７Ｂへ搬送し、その途中において鑑別部１１により紙幣ＢＬの枚数を計数する、といった処理を繰り返す。これにより副制御部１３２は、紙幣カセット１７Ａの全ての紙幣ＢＬを紙幣カセット１７Ｂへ順次搬送し、すなわち一時的に移動させて、次のステップＳＰ４３へ移る。
【０１３３】
ステップＳＰ４３において副制御部１３２は、第２復元処理として、紙幣カセット１７Ｂから約１００枚の紙幣ＢＬを一時保留部１２へ搬送し、当該一時保留部１２から紙幣ＢＬを紙幣カセット１７Ａへ搬送する、といった処理を繰り返す。これにより副制御部１３２は、紙幣カセット１７Ｂの全ての紙幣ＢＬを紙幣カセット１７Ａへ順次搬送し、すなわち元の状態に復元し、次のステップＳＰ４８へ移る。
【０１３４】
また、ステップＳＰ４１において収納状態を低状態と判定した場合、すなわち紙幣カセット１７Ｂに収納されている紙幣ＢＬが約１００枚未満であると判定した場合、このことは当該紙幣ＢＬを全て紙幣入出金部５に保持させることにより紙幣カセット１７Ｂを空状態にすることができることを表している。このとき副制御部１３２は次のステップＳＰ４４へ移る。
【０１３５】
ステップＳＰ４４において副制御部１３２は、事前移転処理として、搬送部１４により紙幣カセット１７Ｂの全ての紙幣ＢＬを一時保留部１２へ搬送し、さらに当該紙幣ＢＬを一時保留部１２から紙幣入出金部５へ搬送する。これにより副制御部１３２は、紙幣カセット１７Ｂの全ての紙幣ＢＬを退避先である紙幣入出金部５に一時的に保持させ、紙幣カセット１７Ｂを空状態にすると共に一時保留部１２にも紙幣ＢＬを保持していない状態にして、次のステップＳＰ４５へ移る。
【０１３６】
ステップＳＰ４５において副制御部１３２は、第２移転処理として、搬送部１４により紙幣カセット１７Ａの約１００枚の紙幣ＢＬを一時保留部１２へ搬送した後、当該一時保留部１２から紙幣カセット１７Ｂへ搬送する。このとき副制御部１３２は、搬送した紙幣ＢＬの枚数を鑑別部１１により計数する。その後副制御部１３２は、紙幣カセット１７Ａの紙幣ＢＬが無くなるまで、約１００枚ずつに区切って鑑別部１１により計数しながら一時保留部１２を経由して紙幣カセット１７Ｂへ順次搬送することにより、当該紙幣カセット１７Ａにおける全ての紙幣ＢＬの枚数を計数し、ステップＳＰ４６へ移る。
【０１３７】
ステップＳＰ４６において副制御部１３２は、第２復元処理として、搬送部１４により紙幣カセット１７Ｂの約１００枚の紙幣ＢＬを一時保留部１２へ搬送した後、当該一時保留部１２から紙幣カセット１７Ａへ搬送する処理を繰り返すことにより、全ての紙幣ＢＬを紙幣カセット１７Ａに戻し、次のステップＳＰ４７へ移る。
【０１３８】
ステップＳＰ４７において副制御部１３２は、事後復元処理として、搬送部１４により退避先である紙幣入出金部５の全ての紙幣ＢＬを一時保留部１２へ搬送し、さらに当該紙幣ＢＬを一時保留部１２から紙幣カセット１７Ｂへ搬送することにより、紙幣入出金部５に一時的に保持させていた紙幣ＢＬを全て紙幣カセット１７Ｂに戻し、次のステップＳＰ４８へ移る。
【０１３９】
一方、ステップＳＰ４１において空状態若しくは低状態以外であった場合、このことは紙幣カセット１７Ｂに収納されている紙幣ＢＬの枚数が多く、紙幣入出金部５を紙幣ＢＬの移転先としては利用できず、この段階では紙幣カセット１７Ａの紙幣ＢＬの正確な枚数を計数できないことを表している。このとき副制御部１３２は、次のステップＳＰ４８へ移る。
【０１４０】
ステップＳＰ４８において副制御部１３２は、カセット間搬送処理ＳＲＴ１を終了し、元の有高確定処理手順ＲＴ２（図１３）へ戻る。
【０１４１】
このとき副制御部１３２は、次のステップＳＰ２８へ移り、カセット間搬送処理ＳＲＴ１において紙幣カセット１７Ａの紙幣ＢＬの枚数を計数したか否かを判定する。ここで肯定結果が得られると、副制御部１３２は次のステップＳＰ２７へ移り、有高を確定する。
【０１４２】
一方、ステップＳＰ２８において否定結果が得られると、このことは、紙幣カセット１７Ａの装着時にはその有高を確定できなかったことを表している。このため副制御部１３２は、その後の取引処理において紙幣カセット１７Ａ又は１７Ｂの紙幣ＢＬの枚数が減少するのを待つべく、次のステップＳＰ２９（図１４）へ移る。
【０１４３】
ステップＳＰ２９において副制御部１３２は、１回の取引処理が終了するまで待機した後、次のステップＳＰ３０へ移る。
【０１４４】
ステップＳＰ３０において副制御部１３２は、取引処理が行われた日時及び取引枚数を記憶部１３４の紙幣枚数テーブルＴＢＬに記憶させ、次のステップＳＰ３１へ移る。
【０１４５】
ステップＳＰ３１において副制御部１３２は、ステップＳＰ２３と同様、紙幣収納部１５の収納量センサ２２による検出結果を基に、紙幣カセット１７Ａの収納状態を判定する。
【０１４６】
ここで収納状態を空状態と判定した場合、このことは紙幣ＢＬが取引処理により十分に減少し、且つ紙幣カセット１７Ａに当初収納されていた紙幣ＢＬが取引処理により全て排出されたこと、すなわち紙幣カセット１７Ａ内の紙幣ＢＬを改めて計数する必要が無いことを表しており、このとき副制御部１３２は次のステップＳＰ３２へ移る。
【０１４７】
ステップＳＰ３２において副制御部１３２は、第１の実施の形態におけるステップＳＰ１１（図１０）と同様、記憶部１３４の紙幣枚数テーブルＴＢＬを参照して紙幣カセット１７Ａに関する全取引枚数を集計し、これを紙幣カセット１７Ａの装着時における有高として確定して、次のステップＳＰ３７（図１３）へ移る。
【０１４８】
またステップＳＰ３１において収納状態を低状態と判定した場合、このことは紙幣ＢＬが取引処理により十分に減少し、一時保留部１２を用いることにより、この時点で紙幣カセット１７Ａに収納されている紙幣ＢＬの正確な枚数を計数できることを表している。このとき副制御部１３２は次のステップＳＰ３３へ移る。
【０１４９】
ステップＳＰ３３〜ＳＰ３５において、副制御部１３２は、ステップＳＰ１２〜１４と同様、搬送部１４により紙幣カセット１７Ａと一時保留部１２との間で全ての紙幣ＢＬを搬送しながら鑑別部１１により紙幣ＢＬの枚数を計数して取引後有高とする。そして副制御部１３２は、紙幣カセット１７Ａの装着後における全取引枚数を集計して取引後有高と合算することにより紙幣カセット１７Ａの装着時における有高を確定し、次のステップＳＰ３７（図１３）へ移る。
【０１５０】
一方、ステップＳＰ３１において収納状態を空状態若しくは低状態以外であると判定した場合、このことは紙幣カセット１７Ａの紙幣ＢＬの移転先として一時保留部１２を利用することはできないものの、紙幣カセット１７Ｂを利用できる可能性があることを表している。
【０１５１】
このため副制御部１３２は、上述したカセット間搬送処理ＳＲＴ１（図１５）を再度実行した後、その次のステップＳＰ３６へ移る。
【０１５２】
ステップＳＰ３６において副制御部１３２は、直前のカセット間搬送処理ＳＲＴ１において紙幣カセット１７Ａの紙幣ＢＬの枚数を計数したか否かを判定する。
【０１５３】
ここで否定結果が得られると、このことは紙幣カセット１７Ａ及び１７Ｂの紙幣ＢＬが取引処理により未だ十分に減少しておらず、紙幣ＢＬの正確な枚数を計数できないことを表している。このため副制御部１３２は、再度ステップＳＰ２９へ戻って一連の処理を繰り返すことにより、取引処理によって紙幣カセット１７Ａ及び１７Ｂの紙幣ＢＬが十分に減少するのを待ち受ける。
【０１５４】
一方、ステップＳＰ３６において肯定結果が得られると、このことは既に紙幣カセット１７Ｂを移転先として利用して紙幣カセット１７Ａの紙幣ＢＬの枚数を計数し終えたことを表している。このとき副制御部１３２は、次のステップＳＰ３５へ移り、紙幣カセット１７Ａの装着後における全取引枚数と取引後有高とを合算することにより紙幣カセット１７Ａの装着時における有高を確定してからステップＳＰ３７へ移る。
【０１５５】
ステップＳＰ３７（図１３）において副制御部１３２は、確定した有高を紙幣カセット１７Ａの装着時における有高として紙幣枚数テーブルＴＢＬに記憶させた後、ステップＳＰ３８へ移って有高検出処理手順ＲＴ２を終了する。
【０１５６】
［２−４．動作及び効果］
以上の構成において、第２の実施の形態による現金自動預払機１０１の副制御部１３２は、紙幣収納部１５に紙幣カセット１７Ａが装着されると、第１の実施の形態と同様、収納量センサ２２の検出結果を基に当該紙幣カセット１７Ａの収納状態を判定する。
【０１５７】
ここで副制御部１３２は、紙幣カセット１７Ａの収納状態が空状態又は低状態であれば、第１の実施の形態と同様にその有高を確定する。
【０１５８】
一方副制御部１３２は、紙幣カセット１７Ａの装着時における収納状態が空状態若しくは低状態以外であれば、カセット間搬送処理を行い、紙幣カセット１７Ｂが空状態又は低状態である場合に紙幣カセット１７Ａと紙幣カセット１７Ｂとの間で紙幣ＢＬを搬送し、その枚数を鑑別部１１によって計数することにより、紙幣カセット１７Ａの有高を確定する。
【０１５９】
すなわち副制御部１３２は、紙幣カセット１７Ａの紙幣ＢＬが比較的多く一時保留部１２に保持し切れないような場合であっても、紙幣カセット１７Ｂを移転先として利用することにより、その枚数を正しく計数して有高を確定することができる。
【０１６０】
このとき副制御部１３２は、紙幣カセット１７Ｂに紙幣ＢＬが収納されていたとしても、低状態であれば、その紙幣ＢＬを一時的に紙幣入出金部５へ退避させることにより空状態にすることができるので、当該紙幣カセット１７Ｂを移転先として用いて紙幣カセット１７Ａの有高を確定することができる。
【０１６１】
このため副制御部１３２は、第１の実施の形態と比較して、紙幣カセット１７Ａの装着時にその有高を確定できる可能性を格段に高めることができる。
【０１６２】
さらに副制御部１３２は、カセット間搬送処理により紙幣カセット１７Ａの紙幣を計数できなかった場合、その後の取引処理において取引枚数を記録しながら紙幣カセット１７Ａ及び１７Ｂの紙幣ＢＬの枚数が減少するのを待つ。
【０１６３】
そして副制御部１３２は、取引後に紙幣カセット１７Ａが空状態又は低状態になった時点で装着時と同様の処理により取引後の枚数（有高）を計数し、紙幣カセット１７の装着後における全取引枚数と合算することにより、紙幣カセット１７Ａの装着時における有高を確定する。
【０１６４】
また副制御部１３２は、取引後に紙幣カセット１７Ａが空状態若しくは低状態でなくとも、カセット間搬送処理を行い、紙幣カセット１７Ｂが空状態又は低状態になっていれば装着時と同様の処理により取引後の枚数を計数し、紙幣カセット１７の装着後における全取引枚数と合算して紙幣カセット１７Ａの装着時における有高を確定する。
【０１６５】
すなわち副制御部１３２は、取引処理後に紙幣カセット１７Ａが空状態又は低状態になれば第１の実施の形態と同様に事後的に有高を確定できることに加え、当該紙幣カセット１７Ａが空状態若しくは低状態以外であっても、紙幣カセット１７Ｂが空状態又は低状態になった段階で、事後的に紙幣カセット１７Ａの有高を確定することができる。
【０１６６】
このため副制御部１３２は、紙幣カセット１７Ａ及び紙幣カセット１７Ｂの双方に比較的多くの紙幣ＢＬが収納されていたとしても、取引処理により少なくとも一方が空状態又は低状態になった段階で紙幣カセット１７Ａの有高を確定できるので、第１の実施の形態よりも早い段階で当該紙幣カセット１７Ａの有高を確定できる可能性が高い。
【０１６７】
また副制御部１３２は、その他の点についても、第１の実施の形態と同様の作用効果を奏し得る。
【０１６８】
以上の構成によれば、現金自動預払機１０１の副制御部１３２は、紙幣カセット１７が装着されると収納量センサ２２の検出結果を基に収納状態を判定し、空状態又は低状態であれば必要に応じ一時保留部１２を用いて紙幣ＢＬの枚数を計数して有高を確定し、それ以外であっても紙幣カセット１７Ｂが空状態又は低状態であれば必要に応じて紙幣ＢＬを紙幣入出金部５へ退避させた上で、当該紙幣カセット１７Ｂを用いて紙幣ＢＬの枚数を計数して有高を確定することができる。さらに副制御部１３２は、紙幣カセット１７Ａの装着時に有高を確定できなかった場合、その後の取引処理において取引枚数を記録しながら紙幣カセット１７Ａ又は１７Ｂの少なくとも一方における紙幣ＢＬの枚数が減少するのを待ってから、装着時と同様の処理により取引後の枚数を計数し、紙幣カセット１７Ａの装着後における全取引枚数と合算することにより、装着時の有高を事後的に確定することができる。
【０１６９】
［３．第３の実施の形態］
第３の実施の形態による現金自動預払機２０１は、第２の実施の形態による現金自動預払機１０１と比較して、搬送部１４、副制御部１３２及び記憶部１３４に代わる搬送部２１４、副制御部２３２及び記憶部２３４を有している点が相違するものの、他の部分については同様に構成されている。
【０１７０】
搬送部２１４は、図２と対応する図１６に示すように、搬送部１４と比較して、搬送経路２１４Ａが追加されている点が異なるものの、他の点については同様に構成されている。この搬送経路２１４Ａは、鑑別部１１の後側と紙幣収納部１５とを接続している。
【０１７１】
かかる搬送部２１４の構成により、現金自動預払機２０１では、紙幣カセット１７間において紙幣ＢＬを搬送する際に一時保留部１２を経由する必要が無く、例えば紙幣カセット１７Ａから鑑別部１１を経て紙幣カセット１７Ｂへ直接搬送することができる。
【０１７２】
また副制御部２３２は、第２の実施の形態による副制御部１３２と同様、図示しないＣＰＵ及びＲＡＭ等を有しており、記憶部１３４と同様にフラッシュメモリやＲＯＭ等でなる記憶部２３４から基本プログラムや各種アプリケーションプログラムを読み出して実行するようになされている。また記憶部２３４には紙幣枚数テーブルＴＢＬが記憶されている。
【０１７３】
［３−１．紙幣カセットの有高の確定方針］
第３の実施の形態では、第２の実施の形態と比較して、紙幣カセット１７の紙幣ＢＬを計数する際の移転先として、一時保留部１２を用いることなく常に他の紙幣カセット１７を用いる点が相違している。
【０１７４】
以下では、副制御部２３２により紙幣カセット１７Ａの有高を確定する際に、他の紙幣カセット１７として紙幣カセット１７Ｂを用いる場合を例に説明する。
【０１７５】
副制御部２３２は、紙幣カセット１７が装着されたことを検出すると、第２の実施の形態と同様のカセット間搬送処理（図１５）を実行する。
【０１７６】
このとき副制御部２３２は、紙幣カセット１７Ｂが空状態であれば、直ちに紙幣カセット１７Ａの全ての紙幣ＢＬを紙幣カセット１７Ｂへ搬送し、その搬送中に鑑別部１１により当該紙幣ＢＬの枚数を計数して、有高を確定する（図６、図１１）。また副制御部２３２は、一時保留部１２を経由する必要が無いため、紙幣カセット１７Ａの全ての紙幣ＢＬを区切ることなく連続的に紙幣カセット１７Ｂへ搬送する。
【０１７７】
因みに副制御部２３２は、紙幣カセット１７Ａから紙幣ＢＬを１枚も搬送できなかった場合、紙幣カセット１７Ａの有高を０枚に確定する（図５）。
【０１７８】
また副制御部２３２は、紙幣カセット１７Ｂが低状態であれば、当該紙幣カセット１７Ｂの紙幣を一時保留部１２へ退避させて空状態にした上で、空状態であった場合と同様、紙幣カセット１７Ａの全ての紙幣ＢＬを紙幣カセット１７Ｂへ搬送し、その搬送中に鑑別部１１により当該紙幣ＢＬの枚数を計数して、有高を確定する。
【０１７９】
このとき副制御部２３２は、紙幣カセット１７Ａから１７Ｂへ紙幣ＢＬを搬送する際に一時保留部１２を経由する必要が無いため、当該紙幣カセット１７Ｂの紙幣ＢＬの退避先をこの一時保留部１２にしている。
【０１８０】
一方、副制御部２３２は、紙幣カセット１７Ｂの収納状態が空状態若しくは低状態以外であった場合、当該紙幣ＢＬを退避させることができないため、紙幣カセット１７Ａの装着直後には紙幣ＢＬの枚数を計数せず、そのまま出金取引や入金取引等の取引処理を行う。このとき副制御部２３２は、第２の実施の形態と同様、有高セルＣＭを空欄としたまま、紙幣枚数テーブルＴＢＬの取引枚数セルＣＣに取引枚数を記憶させる（図７）。
【０１８１】
そして副制御部２３２は、取引処理が行われた後に紙幣カセット１７Ｂが空状態又は低状態となった時点で、紙幣カセット１７Ａの装着時における有高を事後的に算出して確定する。
【０１８２】
すなわち副制御部２３２は、取引処理が行われた後に再度カセット間搬送処理（図１５）を実行することにより、紙幣カセット１７Ｂが空状態又は低状態であれば紙幣カセット１７Ａにおける紙幣ＢＬの枚数を計数し、第２の実施の形態と同様に、この枚数を全取引枚数と合算することにより有高を確定し、その値を紙幣枚数テーブルＴＢＬの有高セルＣＭに記憶させる（図１２）。
【０１８３】
このように第３の実施の形態においては、装着時又は事後的に当該紙幣カセット１７Ｂが空状態若しくは低状態であれば、紙幣カセット１７Ａの収納状態に関わらず、移転先として紙幣カセット１７Ｂを固定的に利用しながら紙幣ＢＬの枚数を計数するようになされている。
【０１８４】
［３−２．有高確定処理手順］
次に、第３の実施の形態における有高確定処理の具体的な処理手順について、図１０、図１３及び図１４と対応する図１７のフローチャートを用いて詳細に説明する。なおカセット間搬送処理手順ＳＲＴ１（図１５）については、第２の実施の形態と同様であるため、その説明を省略する。
【０１８５】
現金自動預払機２０１の副制御部２３２は、電源が投入され基本プログラムが実行された後、記憶部２３４から有高確定プログラムを読み出して実行することにより有高確定処理手順ＲＴ３を開始し、ステップＳＰ５１へ移る。
【０１８６】
副制御部２３２は、ステップＳＰ５１及びＳＰ５２において、それぞれステップＳＰ２１及びＳＰ２２（図１０）と同様の処理を行うことにより、紙幣カセット１７Ａの装着を検出してその日時を記憶し、次のカセット間搬送処理ＳＲＴ１へ移る。
【０１８７】
カセット間搬送処理ＳＲＴ１（図１５）において副制御部２３２は、第２の実施の形態と同様、紙幣カセット１７Ｂが空状態又は低状態であれば、紙幣カセット１７Ａに収納されている紙幣ＢＬを紙幣カセット１７Ｂに搬送させてその枚数を計数し、次のステップＳＰ５３へ移る。
【０１８８】
ただしこの第３の実施の形態における紙幣カセット１７Ａ及び１７Ｂの間での紙幣ＢＬの搬送については、一時保留部１２を経由せず、且つ全紙幣ＢＬを連続的に搬送する。また紙幣カセット１７Ｂの紙幣ＢＬの退避先を一時保留部１２とする。すなわちこの第３の実施の形態では、ステップＳＰ４２及びＳＰ４５が移転処理となり、ステップＳＰ４３及びＳＰ４６が復元処理となる。
【０１８９】
ステップＳＰ５３において副制御部２３２は、カセット間搬送処理ＳＲＴ１において紙幣カセット１７Ａの紙幣ＢＬの枚数を計数したか否かを判定する。ここで肯定結果が得られると、副制御部２３２は次のステップＳＰ５４へ移る。
【０１９０】
ステップＳＰ５４において副制御部２３２は、鑑別部１１により計数された枚数を紙幣カセット１７Ａの有高に確定し、次のステップＳＰ５９へ移る。
【０１９１】
一方、ステップＳＰ５３において否定結果が得られると、このことは、この段階では紙幣カセット１７Ｂを移転先として利用して紙幣カセット１７Ａの有高を確定することができなかったことを表している。このため副制御部２３２は、その後の取引処理において紙幣カセット１７Ｂの紙幣ＢＬの枚数が減少するのを待つべく、次のステップＳＰ５５へ移る。
【０１９２】
ステップＳＰ５５において副制御部２３２は、１回の取引処理が終了するまで待機した後、次のステップＳＰ５６へ移る。
【０１９３】
ステップＳＰ５６において副制御部２３２は、取引処理が行われた日時及び取引枚数を記憶部２３４の紙幣枚数テーブルＴＢＬに記憶させ、次のカセット間搬送処理ＳＲＴ１へ移る。
【０１９４】
カセット間搬送処理ＳＲＴ１（図１５）において副制御部２３２は、紙幣カセット１７Ｂが空状態又は低状態であれば、紙幣カセット１７Ａに収納されている紙幣ＢＬを紙幣カセット１７Ｂに搬送させてその枚数を計数し、次のステップＳＰ５７へ移る。因みにこのとき計数された枚数は取引後有高となる。
【０１９５】
ステップＳＰ５７において副制御部２３２は、ステップＳＰ５３と同様、カセット間搬送処理ＳＲＴ１において紙幣カセット１７Ａの紙幣ＢＬの枚数を計数したか否かを判定する。
【０１９６】
ここで否定結果が得られると、このことは紙幣カセット１７Ｂの紙幣ＢＬが取引処理により未だ十分に減少しておらず、紙幣ＢＬの正確な枚数を計数できないことを表している。このため副制御部２３２は、再度ステップＳＰ５５へ戻って一連の処理を繰り返すことにより、取引処理によって紙幣カセット１７Ｂの紙幣ＢＬが十分に減少するのを待ち受ける。
【０１９７】
一方、ステップＳＰ５７において肯定結果が得られると、このことは既に紙幣カセット１７Ｂを移転先として利用しながら紙幣カセット１７Ａの紙幣ＢＬの枚数を計数し終えたことを表しており、このとき副制御部２３２は、次のステップＳＰ５８へ移る。
【０１９８】
ステップＳＰ５８において副制御部２３２は、記憶部２３４の紙幣枚数テーブルＴＢＬを参照して紙幣カセット１７Ａの装着後における全取引枚数を集計し、これと取引後有高とを合算することにより紙幣カセット１７Ａの装着時における有高を確定し、次のステップＳＰ５９へ移る。
【０１９９】
ステップＳＰ５９において副制御部２３２は、確定した有高を紙幣カセット１７Ａの装着時における有高として紙幣枚数テーブルＴＢＬに記憶させた後、ステップＳＰ６０へ移って有高検出処理手順ＲＴ３を終了する。
【０２００】
［３−３．動作及び効果］
以上の構成において、第３の実施の形態による現金自動預払機２０１の副制御部２３２は、紙幣収納部１５に紙幣カセット１７Ａが装着されると、直ちにカセット間搬送処理を行う。
【０２０１】
これにより副制御部２３２は、紙幣カセット１７Ｂが空状態又は低状態である場合に紙幣カセット１７Ａと紙幣カセット１７Ｂとの間で紙幣ＢＬを搬送し、その枚数を鑑別部１１によって計数することにより、紙幣カセット１７Ａの有高を確定する。
【０２０２】
ここで現金自動預払機２０１では、搬送経路２１４Ａ（図１６）の存在により一時保留部１２を経由せずに紙幣カセット１７間で紙幣ＢＬを搬送できる。このため副制御部２３２は、カセット間搬送処理において、第２の実施の形態のような約１００枚ずつに区切り一時保留部１２を経由する搬送を繰り返すといった処理を省略でき、第２の実施の形態よりも格段に短い時間で大量の紙幣ＢＬを計数することができる。
【０２０３】
また副制御部２３２は、カセット間搬送処理において、紙幣カセット１７Ｂの紙幣ＢＬの搬送先を一時保留部１２とするため、当該一時保留部１２からさらに紙幣入出金部５へ搬送する第２の実施の形態と比較して、処理に要する時間を短縮することができる。
【０２０４】
さらに副制御部２３２は、カセット間搬送処理により紙幣カセット１７Ａの紙幣を計数できなかった場合、その後の取引処理において取引枚数を記録しながら紙幣カセット１７Ｂの紙幣ＢＬの枚数が減少するのを待つ。
【０２０５】
そして副制御部２３２は、取引後においてカセット間搬送処理により、紙幣カセット１７Ｂが空状態又は低状態になっていれば、装着時と同様の処理により取引後の枚数を計数し、紙幣カセット１７の装着後における全取引枚数と合算して紙幣カセット１７Ａの装着時における有高を確定する。
【０２０６】
このため副制御部２３２は、紙幣カセット１７Ｂに比較的多くの紙幣ＢＬが収納されており移転先として利用できなかったとしても、取引処理により空状態又は低状態になった段階で紙幣カセット１７Ａの有高を確定できるので、第１の実施の形態よりも早い段階で当該紙幣カセット１７Ａの有高を確定できる可能性が高い。
【０２０７】
また副制御部２３２は、その他の点についても、第１の実施の形態と同様の作用効果を奏し得る。
【０２０８】
以上の構成によれば、現金自動預払機２０１の副制御部２３２は、紙幣カセット１７が装着されると収納量センサ２２の検出結果を基に紙幣カセット１７Ｂの収納状態を判定し、空状態又は低状態であれば必要に応じて紙幣ＢＬを一時保留部１２へ退避させた上で、当該紙幣カセット１７Ｂを用いて紙幣ＢＬの枚数を計数して有高を確定することができる。さらに副制御部２３２は、紙幣カセット１７Ａの装着時に有高を確定できなかった場合、その後の取引処理において取引枚数を記録しながら紙幣カセット１７Ｂにおける紙幣ＢＬの枚数が減少するのを待ってから、装着時と同様に取引後の枚数を計数し、紙幣カセット１７Ａの装着後における全取引枚数と合算することにより、装着時の有高を事後的に確定することができる。
【０２０９】
［４．他の実施の形態］
なお上述した実施の形態においては、搬送部１４により搬送される紙幣を計数部としての鑑別部１１により計数するようにした場合について述べた。
【０２１０】
しかしながら本発明はこれに限らず、例えば紙幣収納部１５における紙幣カセット１７と紙幣を受け渡す箇所の近傍や、一時保留部１２における紙幣の出入口の近傍等、搬送時に紙幣ＢＬが通過する箇所に当該紙幣ＢＬを検出するセンサを設け、当該センサの検出結果を基に紙幣ＢＬの枚数を計数するようにしても良い。
【０２１１】
また上述した実施の形態においては、紙幣カセット１７Ａから移転先（一時保留部１２または紙幣カセット１７Ｂ）へ紙幣ＢＬを搬送する、すなわち移転させる際に鑑別部１１によりその枚数を計数するようにした場合について述べた。
【０２１２】
しかしながら本発明はこれに限らず、例えば紙幣カセット１７Ａから移転先へ紙幣ＢＬを搬送した後、当該移転先から当該紙幣カセット１７Ａへ紙幣ＢＬを搬送する際、すなわち復元する際に鑑別部１１によりその枚数を計数するようにしても良い。さらには、例えば移転時及び復元時の双方において鑑別部１１によりその枚数をそれぞれ計数し、その計数結果を比較して一致した時のみ有高を確定し、不一致であれば再度搬送して計数するようにしても良い。
【０２１３】
さらに上述した実施の形態においては、鑑別部１１において紙幣ＢＬの枚数の計数のみを行うようにした場合について述べた。
【０２１４】
しかしながら本発明はこれに限らず、例えば鑑別部１１において紙幣ＢＬを鑑別する鑑別処理を行い、当該鑑別処理により損券と判定された紙幣ＢＬを損券庫１８（図２、図１６）へ搬送すると共に計数した枚数から除外するようにしても良い。
【０２１５】
さらに上述した実施の形態においては、紙幣収納部１５に収納量センサ２２Ａ〜２２Ｄを設け、その検出結果を基に紙幣カセット１７の収納状態が空状態であれば有高を０枚に確定し、低状態であると判定した場合には紙幣ＢＬを搬送してその枚数を計数し有高を確定するようにした場合について述べた。
【０２１６】
しかしながら本発明はこれに限らず、例えば収納量センサ２２Ａ、２２Ｃ及び２２Ｄを適宜省略し、収納量センサ２２Ｂの検出結果のみにより、収納状態が低状態であるか否かのみを判定するようにしても良い。この場合、低状態であると判定されたときに紙幣ＢＬを搬送してその枚数を計数し、計数結果が０であった場合も含めて計数された枚数を有高として確定すれば良い。
【０２１７】
さらに上述した実施の形態においては、紙幣収納部１５における収納量センサ２２Ｂの設置箇所を、紙幣カセット１７に収納された紙幣ＢＬの枚数に換算して約１００枚に相当する箇所とするようにした場合について述べた。
【０２１８】
しかしながら本発明はこれに限らず、例えば約８０枚や約１２０枚など、任意の枚数に相当する箇所に収納量センサ２２Ｂを設けるようにしても良い。この場合、紙幣カセット１７に収納されている紙幣ＢＬの枚数が一時保留部１２に保持可能な枚数よりも少ないこと、すなわち当該紙幣ＢＬを全て一時保留部１２に保持できることを収納量センサ２２により検出できれば良い。
【０２１９】
さらに第２の実施の形態においては、紙幣カセット１７Ａ及び１７Ｂの間で紙幣ＢＬを搬送する際、約１００枚ずつに区切って順次搬送するようにした場合について述べた。
【０２２０】
しかしながら本発明はこれに限らず、例えば約１２０枚や約１５０枚など、一時保留部１２の収納可能枚数に応じて適宜定めるようにしても良い。
【０２２１】
さらに上述した第２及び第３の実施の形態においては、カセット間搬送処理における他の紙幣カセット１７として紙幣カセット１７Ｂを用いるようにした場合について述べた。
【０２２２】
しかしながら本発明はこれに限らず、他の紙幣カセット１７として紙幣カセット１７Ｃ又は１７Ｄを用いるようにしても良い。また、紙幣カセット１７Ｂ〜１７Ｄの収納状態をそれぞれ判定した上で、空状態又は低状態である紙幣カセット１７を他の紙幣カセット１７として用いるようにしても良く、さらにこの場合、空状態である紙幣カセット１７を優先的に選択するようにしても良い。
【０２２３】
さらに上述した第２及び第３の実施の形態においては、カセット間搬送処理手順ＳＲＴ１（図１５）のステップＳＰ４１において、紙幣カセット１７Ｂの収納状態を収納量センサ２２による検出結果を基に判定するようにした場合について述べた。
【０２２４】
しかしながら本発明はこれに限らず、例えば紙幣カセット１７Ｂの有高が事前に判明している場合に、当該有高を基に紙幣カセット１７Ｂの収納状態を判定するようにしても良い。特に、上述したように紙幣カセット１７Ｂ〜１７Ｄの収納状態をそれぞれ判定した上で他の紙幣カセット１７として選択する場合、各紙幣カセット１７の有高を比較し、有高が最も少ない紙幣カセット１７を選択するようにしても良い。
【０２２５】
さらに上述した第２及び第３の実施の形態においては、紙幣カセット１７Ａのみについて有高を確定するようにした場合について述べた。
【０２２６】
しかしながら本発明はこれに限らず、例えばカセット間搬送処理ＳＲＴ１（図１５）において、紙幣カセット１７Ｂの紙幣ＢＬを一時保留部１２を経由して紙幣入出金部５へ搬送する際に、鑑別部１１によりその枚数を計数して当該紙幣カセット１７Ｂについても有高を確定するようにしても良い。
【０２２７】
さらに上述した第１の実施の形態においては、副制御部３２により有高確定処理手順ＲＴ１（図１０）を実行するようにした場合について述べた。
【０２２８】
しかしながら本発明はこれに限らず、例えば主制御部３１により、或いは主制御部３１と副制御部３２との協働により有高確定処理手順ＲＴ１を実行するようにしても良い。第２及び第３の実施の形態についても同様である。
【０２２９】
さらに上述した第１の実施の形態においては、記憶部３４に予め記憶させておいた有高確定プログラムを読み出して実行するようにした場合について述べた。
【０２３０】
しかしながら本発明はこれに限らず、例えばＵＳＢ（Universal Serial Bus）等のインタフェースやＩＥＥＥ(Institute of Electrical and Electronics Engineers)８０２．３ａｂ等のネットワーク、或いはＣＤ−ＲＯＭ（Compact Disc-Read Only Memory）等の外部記憶媒体を介して、外部から有高確定プログラムを取得して実行するようにしても良い。第２及び第３の実施の形態についても同様である。
【０２３１】
さらに上述した第１の実施の形態においては、現金を取引する現金自動預払機１において、媒体としての紙幣ＢＬを内部で搬送し、紙幣カセット１７等に収納するようにした場合について述べた。
【０２３２】
しかしながら本発明はこれに限らず、例えば商品券や金券、入場券等のような薄い紙状の媒体を搬送し、その当該媒体に対応したカセットに収納する種々の装置に適用するようにしても良い。第２及び第３の実施の形態についても同様である。
【０２３３】
さらに上述した実施の形態においては、カセットとしての紙幣カセット１７Ａと、装着検出部としての着脱センサ２１と、媒体保持部としての一時保留部１２又は紙幣入出金部５と、搬送部としての搬送部１４又は２１４と、計数部としての鑑別部１１と、制御部としての副制御部３２、１３２又は２３２と、記憶部としての記憶部３４、１３４又は２３４とによって有高確定装置としての現金自動預払機１、１０１又は２０１を構成する場合について述べた。
【０２３４】
しかしながら本発明はこれに限らず、その他種々の構成でなるカセットと、装着検出部と、媒体保持部と、搬送部と、計数部と、制御部と、記憶部とによって有高確定装置を構成するようにしても良い。
【産業上の利用可能性】
【０２３５】
本発明は、紙幣等の紙状の媒体を着脱式のカセットに収納し、当該カセット内に収納されている媒体の有高を確定する種々の装置でも利用できる。
【符号の説明】
【０２３６】
１、１０１、２０１……現金自動預払機、５……紙幣入出金部、１１……鑑別部、１２……一時保留部、１４……搬送部、１５……紙幣収納部、１７、１７Ａ、１７Ｂ、１７Ｃ、１７Ｄ……紙幣カセット、２１……着脱センサ、２２、２２Ａ、２２Ｂ、２２Ｃ、２２Ｄ……収納量センサ、３２、１３２、２３２……副制御部、３４、１３４、２３４……記憶部、ＴＢＬ……紙幣枚数テーブル。
【図１】
2013045239.tif 000003
【図２】
2013045239.tif 000004
【図３】
2013045239.tif 000005
【図４】
2013045239.tif 000006
【図５】
2013045239.tif 000007
【図６】
2013045239.tif 000008
【図７】
2013045239.tif 000009
【図８】
2013045239.tif 000010
【図９】
2013045239.tif 000011
【図１０】
2013045239.tif 000012
【図１１】
2013045239.tif 000013
【図１２】
2013045239.tif 000014
【図１３】
2013045239.tif 000015
【図１４】
2013045239.tif 000016
【図１５】
2013045239.tif 000017
【図１６】
2013045239.tif 000018
【図１７】
2013045239.tif 000019